(57)【要約】      （修正有）【課題】清掃布を収納する収納ケースが密閉され、収納ケースに収納した清掃布が汚れることがなく、清掃布を収納ケースに容易に収納することができる携帯型清掃布装置を提供する。【解決手段】一端側が開口部２となされた収納ケース１と、収納ケース１に着脱可能であって、収納ケース１に装着されることにより開口部２を閉蓋し、収納ケース１から取り外されることにより開口部２を開蓋する蓋体３と、蓋体３の内面部に、一側部を着脱可能に取り付けられ、収納ケース１に収納された清掃布４と、可撓性を有する紐によりリング状に形成され、清掃布４の中央部と一側部との略中間位置に一端部を着脱可能に取り付けられ、他端側が、収納ケース１の他端側に設けられた２つの引出孔５、６を介して１本ずつ収納ケース１の外方に引き出されている収納リング紐７とを備える。【選択図】図１
0003206601.tif 000002
【実用新案登録請求の範囲】
【請求項１】
一端側が開口部となされた収納ケースと、
前記収納ケースに着脱可能であって、前記収納ケースに装着されることにより前記開口部を閉蓋し、前記収納ケースから取り外されることにより前記開口部を開蓋する蓋体と、
前記蓋体の内面部に、一側部を着脱可能に取り付けられ、前記収納ケースに収納された清掃布と、
可撓性を有する紐によりリング状に形成され、前記清掃布の中央部と一側部との略中間位置に一端部を着脱可能に取り付けられ、他端側が、前記収納ケースの他端側に設けられた２つの引出孔を介して１本ずつ前記収納ケースの外方に引き出されている収納リング紐と
とを備え、
前記清掃布は、
前記蓋体が前記収納ケースから取り外されて前記開口部が開蓋され、該蓋体が該収納ケースから離間されることにより、該収納ケースから該開口部を介して外方に引き出され、
前記収納リング紐の他端側が前記収納ケースの他端側方向に引かれ、前記引出孔を介して前記収納ケースの外方側に移動されることにより、前記開口部を介して該収納ケース内に収納される
ことを特徴とする携帯型清掃布装置。
【請求項２】
前記収納ケース内の前記開口部近傍と、前記収納リング紐の一端部との間を繋ぐ弾性部材を備え、
前記弾性部材は、
前記収納リング紐の他端側が前記収納ケースの他端側方向に引かれて前記清掃布が前記開口部を介して該収納ケース内に収納されたときに、前記開口部近傍と該収納リング紐の一端部とが離間されることによって伸長され、その後収縮することにより、該収納リング紐の少なくとも一部を該収納ケース内に引き込む
ことを特徴とする請求項１記載の携帯型清掃布装置。
【請求項３】
前記収納リング紐には、一対の磁石が取り付けられている
ことを特徴とする請求項１、または、請求項２記載の携帯型清掃布装置。
【考案の詳細な説明】
【技術分野】
【０００１】
本考案は、メガネ、カメラレンズ、携帯用端末の表示画面等、その他を簡便に清掃することができる携帯型清掃布装置に関する。
【背景技術】
【０００２】
特許文献１には、除菌剤等を含浸させた清掃布を引き紐を介して収納ケース内より引き出し自在とし、使用後には汚れた部分に手を触れることなく収納ケース内に収納できるように構成した携帯用清掃布が記載されている。
【先行技術文献】
【特許文献】
【０００３】
【特許文献１】実開平０５−０１３３５３号公報
【考案の概要】
【考案が解決しようとする課題】
【０００４】
しかしながら、前述した携帯用清掃布においては、清掃布を収納ケースに収納した状態において、収納ケースが密閉されないので、清掃布が汚れてしまう虞がある。
【０００５】
また、引き紐が清掃布の中央部に取り付けられているので、清掃布が畳まれたときの厚みが厚くなってしまい、清掃布を収納ケースに収納することが容易ではない。
【０００６】
そこで、本考案は、清掃布を収納する収納ケースが密閉され、収納ケースに収納した清掃布が汚れることがなく、清掃布を収納ケースに容易に収納することができる携帯型清掃布装置を提供することを課題とする。
【課題を解決するための手段】
【０００７】
前記課題の解決のため、本考案の請求項１に係る携帯型清掃布装置は、
一端側が開口部となされた収納ケースと、
前記収納ケースに着脱可能であって、前記収納ケースに装着されることにより前記開口部を閉蓋し、前記収納ケースから取り外されることにより前記開口部を開蓋する蓋体と、
前記蓋体の内面部に、一側部を着脱可能に取り付けられ、前記収納ケースに収納された清掃布と、
可撓性を有する紐によりリング状に形成され、前記清掃布の中央部と一側部との略中間位置に一端部を着脱可能に取り付けられ、他端側が、前記収納ケースの他端側に設けられた２つの引出孔を介して１本ずつ前記収納ケースの外方に引き出されている収納リング紐と
とを備え、
前記清掃布は、
前記蓋体が前記収納ケースから取り外されて前記開口部が開蓋され、該蓋体が該収納ケースから離間されることにより、該収納ケースから該開口部を介して外方に引き出され、
前記収納リング紐の他端側が前記収納ケースの他端側方向に引かれ、前記引出孔を介して前記収納ケースの外方側に移動されることにより、前記開口部を介して該収納ケース内に収納される
ことを特徴とするものである。
【０００８】
また、本考案の請求項２に係る携帯型清掃布装置は、請求項１に係る携帯型清掃布装置において、
前記収納ケース内の前記開口部近傍と、前記収納リング紐の一端部との間を繋ぐ弾性部材を備え、
前記弾性部材は、
前記収納リング紐の他端側が前記収納ケースの他端側方向に引かれて前記清掃布が前記開口部を介して該収納ケース内に収納されたときに、前記開口部近傍と該収納リング紐の一端部とが離間されることによって伸長され、その後収縮することにより、該収納リング紐の少なくとも一部を該収納ケース内に引き込む
ことを特徴とするものである。
【０００９】
また、本考案の請求項３に係る携帯型清掃布装置は、請求項１、または、請求項２に係る携帯型清掃布装置において、
前記収納リング紐には、一対の磁石が取り付けられている
ことを特徴とするものである。
【考案の効果】
【００１０】
本考案に係る携帯型清掃布装置においては、収納ケースの開口部を閉蓋する蓋体を備え、収納リング紐が収納ケースの他端側に設けられた２つの引出孔を介して１本ずつ収納ケースの外方に引き出されているので、収納ケースが密閉され、収納ケースに収納した清掃布が汚れることがない。
【００１１】
また、この携帯型清掃布装置においては、収納リング紐は、清掃布の中央部と一側部との略中間位置に一端部を着脱可能に取り付けられているので、清掃布を収納ケースに容易に収納することができる。
【００１２】
すなわち、本考案は、清掃布を収納する収納ケースが密閉され、収納ケースに収納した清掃布が汚れることがなく、清掃布を収納ケースに容易に収納することができる携帯型清掃布装置を提供することができるものである。
【図面の簡単な説明】
【００１３】
【図１】本考案に係る携帯型清掃布装置の構成を示す縦断面図である。
【図２】本考案に係る携帯型清掃布装置の要部の構成を示す縦断面図である。
【図３】本考案に係る携帯型清掃布装置において清掃布の引出しを開始した状態を示す縦断面図である。
【図４】本考案に係る携帯型清掃布装置において清掃布の引出しの途中の状態を示す縦断面図である。
【図５】本考案に係る携帯型清掃布装置において清掃布の引出しを完了した状態を示す縦断面図である。
【図６】本考案に係る携帯型清掃布装置において収納リング紐が収納ケース内に戻った状態を示す縦断面図である。
【図７】本考案に係る携帯型清掃布装置における磁石の作用を示す正面図である。
【考案を実施するための形態】
【００１４】
以下、本考案の実施の形態について、図面に参照して説明する。
図１は、本考案に係る携帯型清掃布装置の構成を示す縦断面図である。
【００１５】
この携帯型清掃布装置は、図１に示すように、略円筒状に形成され、一端側が開口部２となされた収納ケース１を有している。この収納ケース１は、ポリエチレン等の合成樹脂材料により形成されているが、金属や木材により形成してもよい。
【００１６】
なお、この収納ケース１は、横断面形状を楕円形、または、長円形とすることが好ましい。収納ケース１の横断面形状を楕円形、または、長円形とすることにより、机上等に置いたときに転がってしまうことがない。
【００１７】
収納ケース１の開口部２は、蓋体３により開閉可能となっている。蓋体３は、収納ケース１に対して着脱可能となっている。蓋体３は、収納ケース１に装着されることにより開口部２を閉蓋し、収納ケース１から取り外されることにより開口部２を開蓋する。蓋体３は、開口部２を閉蓋したときには、収納ケース１を密閉状態とする。
【００１８】
この蓋体３は、ネジ式により収納ケース１に着脱可能なネジ蓋としてもよいし、係合式により収納ケース１に着脱可能としてもよい。係合式とは、蓋体３の内側及び開口部２の周囲部の一方に係合溝を設け、他方に突条を設け、蓋体３及び／又は開口部２の周囲部の弾性変形により、これら係合溝及び突条の係合及び係合解除がなされるものである。
【００１９】
収納ケース１には、清掃布４が収納されている。この清掃布４としては、傷付き易いガラスレンズやレンズコーティングを傷付けないために、超極細繊維で形成されたものが好ましい。
【００２０】
この清掃布４は、蓋体３の内面部に、一側部を着脱可能に取り付けられている。蓋体３の内面部には、着脱用のホック３ａが取り付けられている。清掃布４の一側部にも、着脱用のホック４ａが取り付けられている。これらホック３ａ，４ａにより、蓋体３と清掃布４とが着脱可能となっている。
【００２１】
清掃布４の中央部と一側部との略中間位置には、収納リング紐７の一端部が着脱可能に取り付けられている。この収納リング紐７は、可撓性を有する紐により、リング状に形成されている。清掃布４の中央部と一側部との略中間位置には、着脱用のホック４ｂが取り付けられている。収納リング紐７の一端部にも、着脱用のホック７ｂが取り付けられている。これらホック４ｂ，７ｂにより、清掃布４と収納リング紐７とが着脱可能となっている。
【００２２】
図２は、本考案に係る携帯型清掃布装置の要部の構成を示す縦断面図である。
【００２３】
収納リング紐７の他端側は、図２に示すように、収納ケース１の他端側に設けられた２つの引出孔５，６を介して、１本ずつ収納ケースの外方に引き出されている。収納リング紐７を１本ずつ収納ケースの外方に引き出していることにより、引出孔５，６は、収納リング紐７をなす紐の太さ程度の小さな孔とすることができるので、収納ケース１の密閉を維持することができる。また、収納リング紐７は、リング状に形成されていることにより、手指や壁釘等に容易に引っ掛けることができる。
【００２４】
この携帯型清掃布装置においては、収納ケース１は、清掃布４を収納した状態において密閉状態となっているため、ポケットやカバン等に入れておいても、清掃布４に塵挨等が付着する虞がない。
【００２５】
清掃布４は、ホック３ａ，４ａ，４ｂ，７ｂにより、蓋体３及び収納リング紐７から容易に取り外せるので、洗濯して清潔に保つことができる。
【００２６】
図３は、本考案に係る携帯型清掃布装置において清掃布の引出しを開始した状態を示す縦断面図である。
【００２７】
清掃布４は、図３に示すように、蓋体３が収納ケース１から取り外されて開口部２が開蓋されると、この蓋体３を収納ケース１から離間させることにより、開口部２から引き出され得る状態になる。
【００２８】
図４は、本考案に係る携帯型清掃布装置において清掃布の引出しの途中の状態を示す縦断面図である。
【００２９】
清掃布４は、図４に示すように、蓋体３が収納ケース１から離間されることにより、収納ケース１から開口部２を介して外方に引き出される。
【００３０】
図５は、本考案に係る携帯型清掃布装置において清掃布の引出しを完了した状態を示す縦断面図である。
【００３１】
清掃布４は、図５に示すように、蓋体３が収納ケース１から十分に離間されることにより、全体が収納ケース１から外方に引き出され、拡げることができる。清掃布４は、拡げた状態で、メガネ、カメラレンズ、携帯用端末の表示画面等、その他を簡便に清掃することができる。このとき、清掃布４には収納リング紐７が貫通していないので、メガネ等には清掃布４以外の物が接触しないようにして、清掃することができる。なお、この携帯型清掃布装置は、よだれ拭き等のベビー用品として使用することもできる。
【００３２】
そして、収納リング紐７の他端側を収納ケース１の他端側方向に引くことにより、図４に示すように、収納リング紐７は、引出孔５，６を介して収納ケース１の外方側に移動される。すると、清掃布４は、開口部２を介して収納ケース１内に収納されてゆく。このとき、収納リング紐７の一端部は清掃布４の中心部からずれた位置に取り付けられているので、清掃布４は、中心部からずれた位置において折られて畳まれるので、畳まれた状態にの厚さが薄くなり、開口部２を通過することが容易である。
【００３３】
収納リング紐７の他端側を収納ケース１の他端側方向に十分に引くと、図３に示すように、清掃布４は、全体が収納ケース１内に収納される。このとき、蓋体３を収納ケース１に取り付けて、開口部２を閉蓋することができる。
【００３４】
なお、収納リング紐７の一端部近傍には、収納ケース１内に位置して、内蓋１１を取り付けておいてもよい。この内蓋１１は、収納リング紐７の他端側が収納ケース１の他端側方向に十分に引かれたときに、収納ケース１の他端側の内壁に当接して、引出孔５，６を塞ぐ。この内蓋１１により、収納ケース１の密閉がより確実になる。
【００３５】
図６は、本考案に係る携帯型清掃布装置において収納リング紐が収納ケース内に戻った状態を示す縦断面図である。
【００３６】
この携帯型清掃布装置においては、図１及び図６に示すように、収納ケース１内の開口部２近傍と、収納リング紐７の一端部との間を繋ぐ弾性部材８を設けてもよい。弾性部材８は、ゴム紐や引張コイルバネ等であり、図１に示すように、自然状態から伸長されると、図６に示すように、弾性力により収縮して自然状態に戻るものである。この弾性部材８は、自然状態において、収納ケース１内の開口部２近傍と、収納リング紐７の一端部とを接近させている。
【００３７】
この弾性部材８は、図１に示すように、収納リング紐７の他端側が収納ケース１の他端側方向に引かれ、清掃布４が開口部２を介して収納ケース１内に収納されたときに、開口部２近傍と収納リング紐７の一端部とが離間されることによって伸長される。その後、収納リング紐７を引く力が無くなると、図６に示すように、収縮して自然状態に戻り、収納リング紐７の少なくとも一部を収納ケース１内に引き込む。
【００３８】
ここで、収納リング紐７の他端側には、図２及び図６に示すように、収納ケース１外に位置して、外蓋１２を取り付けておいてもよい。この外蓋１２は、収納リング紐７が弾性部材８によって収納ケース１に戻されたときに、収納ケース１の他端部に当接して、引出孔５，６を塞ぐ。この外蓋１２により、収納ケース１の密閉がより確実になる。
【００３９】
図７は、本考案に係る携帯型清掃布装置における磁石の作用を示す正面図である。
【００４０】
収納リング紐７には、図１及び図７に示すように、一対の磁石９，１０を取り付けておいてもよい。これら磁石９，１０同士を磁力で固着させることにより、図７に示すように、収納リング紐７の他端側にもう一つのリング部１３が形成される。このリング部１３を外部の棒体１０１の回りに形成することにより、携帯型清掃布装置を棒体１０１に吊すことができる。また、磁石９，１０同士を磁力に抗して離間させることにより、棒体１０１から外すことができる。
【００４１】
また、磁石９，１０を鉄製の壁面に磁力で固着させることにより、携帯型清掃布装置を壁面に吊すことができる。磁石９，１０を磁力に抗して壁面から離間させることにより、壁面から外すことができる。
【符号の説明】
【００４２】
１  収納ケース
２  開口部
３  蓋体
４  清掃布
５，６  引出孔
７  収納リング紐
８  弾性部材
９，１０  磁石
１１  内蓋
１２  外蓋
１３  リング部
【図１】
0003206601.tif 000003
【図２】
0003206601.tif 000004
【図３】
0003206601.tif 000005
【図４】
0003206601.tif 000006
【図５】
0003206601.tif 000007
【図６】
0003206601.tif 000008
【図７】
0003206601.tif 000009